(57)【特許請求の範囲】
【請求項１】
食品を加熱する加熱手段と、設定を行う複数のキー入力手段と、調理器を制御する制御手段と、商用電源に接続されこの商用電源を直流電圧に変換し前記制御手段へ電力を供給する電源回路と、前記電源回路と前記制御手段との間に設け前記制御手段への電力を開閉する電力開閉手段と、前記電力開閉手段のＯＮ／ＯＦＦ動作を制御する保持手段とを備え、前記キー入力手段は、キー操作により、前記電源回路から供給される電力を使い前記保持手段に前記電力開閉手段をＯＮさせる信号を出力させる機能と、キー操作により調理状態を設定する信号を出力する機能をともに備えた構成を特徴とした調理器。
【請求項２】
食品を加熱する加熱手段と、設定を行う複数のキー入力手段と、調理器を制御する制御手段と、商用電源に接続されこの商用電源を直流電圧に変換し前記制御手段へ電力を供給する電源回路と、前記電源回路と前記制御手段との間に設け前記制御手段への電力を開閉する電力開閉手段と、前記電力開閉手段のＯＮ／ＯＦＦ動作を制御する保持手段とを備え、前記キー入力手段は、前記電力開閉手段がＯＮ動作後、前記電源回路から供給される電力を使い前記保持手段をＯＮさせることを特徴とした調理器。
【請求項３】
キー入力手段は、キー操作された時のみ電力を消費する構成としたことを特徴とした請求項１または２に記載の調理器。
【請求項４】
複数のキー入力手段をマトリックス状に構成したことを特徴とした請求項１〜３のいずれか１項に記載の調理器。
【請求項５】
制御手段は、キー操作によりキー入力手段から入力された後に所定時間キー入力がなされない場合、電力開閉手段をＯＦＦさせる信号を保持手段に出力することを特徴とした請求項１〜４のいずれか１項に記載の調理器。
【請求項６】
制御手段は、キー入力により設定されたプログラムが開始された場合、そのプログラムが完遂された後、または取り消された後の所定時間内にキー入力がなされない場合、電力開閉手段をＯＦＦさせる信号を保持手段に出力することを特徴とした請求項１〜４のいずれか１項に記載の調理器。
【請求項７】
制御手段は、加熱手段の制御が不能となった場合、電力開閉手段をＯＦＦさせる信号を保持手段に出力することを特徴とした請求項１〜４のいずれか１項に記載の調理器。
【発明の詳細な説明】
【０００１】
【発明の属する技術分野】
本発明は電子レンジなどの調理器に関し、特に使用していない待機時の消費電力を減少させる制御回路に関する。
【０００２】
【従来の技術】
最近、地球環境にやさしい機器の開発が望まれており、特に日常的に使用される家電製品については消費電力に関する法制化も推進されている。その中で、非動作時である待機時の電力は全消費電力の１割から２割とも言われており特に注目されている。
【０００３】
電子レンジに関しても実際の使用実態を考えると、高周波加熱、ヒータ等使用した実調理時間よりも非動作時間すなわち待機時間の方が圧倒的に多いのが実状である。
【０００４】
従来のこの種の電子レンジは特開平７−２１７９０６号公報に記載されているようなものが一般的であった。この電子レンジは図５に示すように商用電源７と制御回路３の電源回路４との間に介設されたドアの開閉に連動して動作するドアスイッチ８と、このドアスイッチ８に並列に接続されて電力開閉手段５が設けられている。制御回路３は、ドアの開成によりドアスイッチ８を介し電力が供給されると共に、ドアの開成を検出するドアスイッチ回路１０の信号に基づいて、電力開閉手段５をＯＮし自己保持される。そのため制御回路３への電力を継続的に供給されることになる。またドアが閉じて一定時間内にドアスイッチ回路１０またはキー入力回路２からの入力が無い場合は電力開閉手段５をＯＦＦさせるように構成されている。
【０００５】
そして上記構成では、ドアが閉められた状態で一定時間内にドアの開閉またはキー入力がなされなければ電力開閉手段５をＯＦＦして電子レンジの制御回路３への電力供給が遮断せれ、次のドアの開成動作まで電力は供給されないようになっていた。
【０００６】
さらに、電力開閉手段５と並列に接続されているドアスイッチ８のかわりに電源スイッチを設けた電子レンジもある。この場合は、電源スイッチが電源回路への電力供給のトリガとなり、電力開閉手段５をＯＮすることで、制御回路３への電源供給が継続される。
【０００７】
【発明が解決しようとする課題】
しかしながら上記従来の電子レンジでは、ドアが開閉されるたびに調理とは無関係に一定時間は従来通り電力が消費されるという第一の問題を有していた。すなわち、実使用において、調理が終了して食品を取り出す場合、必ずドアを開閉するため、ドアを開成する度に必ず一定時間の電力が消費されている。また、食品を電子レンジの庫内に入れて一次保存する人も多くいるのが実状であり、庫内に食品を出し入れするたびに必ず一定の電力が消費されるのは無駄である。
【０００８】
また、ドアを閉じなければ従来通りの電力を消費してしまい、待機電力をＯＦＦするためには、必ずドアを閉じておかねばならないという第二の問題を有していた。すなわち、電子レンジは調理終了後オーブン庫内が非常に熱くなっているため、ドアを開けた状態で冷却する人も多く、場合によってはドアを開けっ放しにしている人もいるのが実状であり、この場合は全く省電力にはならない。
【０００９】
また、ドアの開成または電源スイッチを制御回路への電力供給のトリガとしているので、実際の調理設定操作において、ドアを開いた後または電源スイッチを操作した後でなければメニューを設定できないことになっている。実際の調理設定操作では、ドアを開ける前にメニューを設定する人も多いのが現実であり、操作手順が限定されるという第三の問題を有していた。
【００１０】
【課題を解決するための手段】
待機時の消費電力は、マイクロコンピュータ（以下マイコンと称す）及びその周辺回路による電力消費が殆どであり、この電力消費をいかに無くすかである。
【００１１】
本発明は上記課題を解決するため、食品を加熱する加熱手段と、設定を行う複数のキー入力手段と、調理器を制御する制御手段と、商用電源に接続されこの商用電源を直流電圧に変換し制御手段へ電力を供給する電源回路と、電源回路と制御手段との間に設け制御手段への電力を開閉する電力開閉手段と、電力開閉手段のＯＮ／ＯＦＦ動作を制御する保持手段とを備え、キー入力手段は、キー操作により、電源回路から供給される電力を使い保持手段に電力開閉手段をＯＮさせる信号を出力させる機能と、キー操作により調理状態を設定する信号を出力する機能をともに備えた構成にすることで、電力開閉手段がＯＦＦの場合は、キー操作によりキー入力手段のいづれかから出力される信号または制御手段からの信号により電力開閉手段をＯＮし、電力開閉手段がＯＮの後に動作が遷移しない場合は、制御手段からの信号により電力開閉手段をＯＦＦにするようにしたものである。
【００１２】
上記発明によれば、ドアの開成及び閉成の如何に関わらず、調理設定操作がされて初めて電力開閉手段がＯＮし、マイコン及び周辺回路といった制御手段に電力が供給されるため、ドアの開成及び閉成の如何に関わらず、制御手段への電力の供給を少なくすことができる。
【００１３】
【発明の実施の形態】
本発明の請求項１にかかる電子レンジは、設定を行う複数のキー入力手段と、調理器を制御する制御手段と、商用電源に接続されこの商用電源を直流電圧に変換し制御手段へ電力を供給する電源回路と、電源回路と制御手段との間に設け制御手段への電力を開閉する電力開閉手段と、電力開閉手段のＯＮ／ＯＦＦ動作を制御する保持手段とを備え、キー入力手段は、キー操作により、電源回路から供給される電力を使い保持手段に電力開閉手段をＯＮさせる信号を出力させる機能と、キー操作により調理状態を設定する信号を出力する機能をともに備えた構成にすることで、電力開閉手段がＯＦＦの場合は、キー操作によりキー入力手段のいづれかから出力される信号または制御手段の信号により電力開閉手段をＯＮし、電力開閉手段がＯＮの後に動作が遷移しない場合は、制御手段からの信号により電力開閉手段をＯＦＦするようにしたため、ドアの開成及び閉成の如何に関わらず制御手段での電力消費を少なくすことができる。
【００１４】
本発明の請求項２にかかる電子レンジは、設定を行う複数のキー入力手段と、調理器を制御する制御手段と、商用電源に接続されこの商用電源を直流電圧に変換し前記制御手段へ電力を供給する電源回路と、前記電源回路と前記制御手段との間に設け前記制御手段への電力を開閉する電力開閉手段と、前記電力開閉手段のＯＮ／ＯＦＦ動作を制御する保持手段とを備え、キー入力手段は、電力開閉手段がＯＮ動作後、電源回路から供給される電力を使い保持手段をＯＮさせることで、キー操作されることで、保持手段に、電力開閉手段をＯＮさせる信号が入力され、電力開閉手段がＯＮすることにより制御手段への電源供給が開始され、供給回路を経由して保持手段に信号が入力され、電力開閉手段がＯＮが継続し、制御手段への電源供給が継続され、制御手段への電源の供給が開始された後に制御手段が起動し、調理設定の待ち受け状態となるようにしたため、ドアの開成及び閉成の如何に関わらず制御手段での電力消費を少なくすことができる。
【００１５】
本発明の請求項３にかかる電子レンジは、キー入力手段をキー操作された時のみ電力を消費する構成としたことで、食品を加熱調理していない待機状態においては、電力開閉手段は開成状態であり制御手段への電力供給は遮断されている。
【００１６】
本発明の請求項５にかかる電子レンジは、キー入力手段から入力された後に所定時間キー入力がなされない場合、調理が行われないと判断し電力開閉手段をＯＦＦさせる信号を保持手段に出力するものである。そのため、いち早く不要な電力の消費を無くすことができる。
【００１７】
本発明の請求項６にかかる電子レンジは、制御手段が、キー入力により設定されたプログラムを開始した場合、そのプログラムが完遂した後、または取り消された後の所定時間内にキー入力がなされなければ、電力開閉手段をＯＦＦさせる信号を保持手段に出力するものである。そのため、調理終了後しばらくして食品を取り出すためにドアを開閉しても制御手段への電力の供給が再開ないため、不要な電力の消費を無くすことができる。
【００１８】
本発明の請求項７にかかる電子レンジは、制御手段による加熱手段の制御が不能となった場合、電力開閉手段をＯＦＦさせる信号を保持手段に出力するものである。そのため、制御手段へのすべての電力供給が断たれるため、加熱手段の動作を制御手段からの制御とは無関係に確実に停止することができるため、より安全な電子レンジにすることができる。
【００１９】
【実施例】
以下、本発明の一実施例について図面を用いて説明する。
【００２０】
（実施例１）
図１は本発明の電子レンジの制御回路のブロック図であり、図２は本発明の実施例１の電子レンジの制御回路を示す図である。なお、従来例と同様な構成には同一符号を付した。
【００２１】
図２において、７は商用電源、１１〜１３は食品を加熱する加熱手段１であるヒータ及び高周波発生源、２は調理の設定を入力するキー入力手段であり複数のスイッチがマトリックス状に構成してある。３はキー操作により入力された調理設定を実行するために加熱手段１であるヒータ１１〜１２及び高周波発生源１３を制御する制御手段、４は制御手段３の電源回路、５は制御手段への電源の供給を開閉する電力開閉手段、６はこの電力開閉手段５のＯＮ／ＯＦＦ動作を制御する保持手段、９はドアの開閉に連動してＯＦＦ／ＯＮするドアスイッチ、１４〜１６はヒータ１１〜１２及び高周波発生源１３を入り切りするリレーの接点、１７は調理動作以外の待機状態及び調理設定の待ち受け状態において、加熱手段１を両切りにするためのリレー接点、１８はリレーの接点１４〜１７をＯＮ／ＯＦＦさせるリレー駆動回路、１９はリレーの接点１４〜１７のＯＮ／ＯＦＦを検出するリレー接点検出回路であり、予期しないリレー駆動回路の故障やリレー接点の溶着等をリレーの接点状態を監視することで検出するための回路である。２０はマイコンであり予め設定されたプログラムに基づき、キー入力手段２からの入力信号により調理条件を決定し、リレー駆動回路１８に信号を与えることで加熱手段１であるヒータ１１〜１２及び高周波発生源１３を制御している。
【００２２】
次に動作、作用について説明すると、食品を加熱調理していない待機状態においては、電力開閉手段５は開成状態であり制御手段３への電力供給は遮断されている。また、トランジスタＱ１〜Ｑ３は待機状態において制御手段３への電流の流れ込みを防ぐ働きをしている。また同様にダイオードＤ１〜Ｄ３はキー操作による制御手段３への電流の流れ込みを防ぐ働きをしている。次に、キー入力手段２である複数のキーＳＷ１〜ＳＷ９のいずれかのキーが操作されると、抵抗Ｒ４〜Ｒ６と抵抗Ｒ７〜Ｒ９のうちそのスイッチが接続されているそれぞれの抵抗を介して保持手段６に、電力開閉手段５をＯＮさせる信号が入力される。電力開閉手段５がＯＮすることにより制御手段３への電源供給が開始され、抵抗Ｒ１〜Ｒ３とダイオードＤ１〜Ｄ３及びＲ７〜Ｒ９を介し保持手段６に信号が入力され、電力開閉手段５がＯＮが継続し、制御手段３への電源供給が継続されるようにしている。制御手段３への電源の供給が開始された後にマイコン２０が起動し、調理設定の待ち受け状態となる。キー操作の検出については、マイコン２０が起動した後マイコン２０の出力ポートＰ４〜Ｐ６から時系列にスキャン信号が出力される。Ｐ１〜Ｐ３は入出力ポートであり調理設定の待ち受け状態及び調理状態では、入力ポートに設定されている。キーが操作されない場合は、Ｐ１〜Ｐ３にはＨｉレベルの信号が入力されている。キーが操作された場合は、スキャン信号のタイミングとＰ１〜Ｐ３のうち何れにＬｏレベルの信号が入力されたかにより操作されたキーを判定している。
【００２３】
また、マイコン２０は起動した後に予め設定されたタイマー時間の減算を開始し、その間にキー入力手段２から入力がなされない場合、残り時間がゼロになった時点で電力開閉手段５をＯＦＦする信号をＰ１〜Ｐ３を出力ポートに切り換えＬｏレベル出力をすることで、保持手段６に電力開閉手段５をＯＦＦさせる信号を出力するようにした。
【００２４】
また、タイマーの残り時間がゼロになる前に、キー入力手段２からマイコン２０へキー入力信号が入力されると、タイマー時間は再設定され再びタイマー時間の減算が開始し、残り時間がゼロになった時点で電力開閉手段５をＯＦＦする信号を保持手段６に出力するようにした。
【００２５】
また、調理者が調理を開始させた時には、マイコン２０は調理設定の待ち受け状態から調理状態となる。そしてマイコン２０は、調理プログラムが完遂ないし取り消された後にタイマー時間を再設定し、再びタイマー時間の減算が開始し、その間にキー入力手段２から入力がなされない場合、残り時間がゼロになった時点で電力開閉手段５をＯＦＦする信号を保持手段６に出力するようにした。
【００２６】
さらに、調理終了後及び調理が途中で取り消された場合で、電子レンジの冷却や状態表示と言った目的で一定時間のタイマー時間を減算する必要がない場合は、直ちに電力開閉手段５をＯＦＦさせることができるのは言うまでもない。また、これらのタイマー時間は、実行される調理プログラム及び電子レンジの状態に応じてそれぞれ異なった必要最小限の時間に設定できることは言うまでもない。
【００２７】
そして、電力開閉手段５がＯＦＦした後にキー操作されると、再び制御手段３に電力を供給されるようにした。
【００２８】
また、電力開閉手段５が開成の待機状態からキー操作によりマイコン２０が起動すると、マイコン２０はリレー接点検出回路１９からの信号によりリレー１４〜１７の接点の状態を検出し、リレー１４〜１７の接点がＯＮしてはならない時にＯＮしている場合、電力開閉手段５をＯＦＦするようにした。さらに、調理動作中においてリレー１４〜１７の接点がＯＮしてはならない時にＯＮしている場合、電力開閉手段５をＯＦＦするようにした。さらに、調理動作が完遂または取り消されたのちリレー１４〜１７の接点がＯＮしてはならない時にＯＮしている場合、電力開閉手段５をＯＦＦするようにした。
【００２９】
また、リレー駆動回路１８の故障により加熱手段１をＯＦＦすることができない場合でも、電力開閉手段５をＯＦＦすることで安全に電子レンジを停止することができる。さらにリレー１４〜１７のいずれかの接点が溶着した場合でも、本発明のように加熱手段１をリレー接点１７で両切りにしている構成の場合、電力開閉手段５をＯＦＦすることで安全に電子レンジを停止することができる。
【００３０】
（実施例２）
図３は本発明の実施例２の電子レンジの制御回路を示す図である。本実施例２において、実施例１と異なる点は、マトリックス状に配置されたスイッチで構成されたキー入力手段２からマイコン２０への入力信号をアナログデータで入力するようにしたことであり、マイコン２０のキー入力を検出するポートＰ８をＡＤ入力ポートとし、マイコン２０のキー入力を検出するポートの数を減らした点である。なお、実施例１と同一符号のものは同一構造を有し、説明は省略する。
【００３１】
次に動作、作用を説明すると、食品を加熱調理していない待機状態においては、電力開閉手段５は開成状態であり制御手段３への電力供給は遮断されている。次に、キー入力手段２である複数のキーＳＷ１〜ＳＷ９のいずれかのキーが操作されると、抵抗Ｒ１３〜Ｒ１５と抵抗Ｒ１０〜Ｒ１２のうちそのスイッチが接続されているそれぞれの抵抗を介して保持手段６に、電力開閉手段５をＯＮさせる信号が入力される。電力開閉手段５がＯＮすることにより制御手段３への電源供給が開始され、抵抗Ｒ１６を介し保持手段６に電力開閉手段をＯＮさせる信号が入力され、電力開閉手段５のＯＮが継続し、制御手段３への電源供給が継続される。そして、制御手段３への電源の供給が開始された後にマイコン２０が起動する。マイコン２０におけるキー操作の検出は、Ｐ８に入力されるアナログデータとＰ４〜Ｐ６から時系列に出力されるスキャン信号のタイミングより、操作されたキーを判定している。Ｐ８に入力されるアナログデータは、操作されるスイッチと接続されているＱ１〜Ｑ３の何れかのコレクタ−エミッタ電圧Ｖｃｅと抵抗Ｒ１１〜Ｒ１２と、Ｄ１の順方向電圧Ｖｆ及びＲ１により決まる。ＳＷ１〜ＳＷ３が押された場合の入力電圧Ｖｉｎは、Ｖｉｎ＝Ｖｃｃ（マイコンの電源電圧）−Ｒ１×（（Ｖｃｃ−Ｖｆ−Ｖｃｅ）／Ｒ１）＝Ｖｆ＋Ｖｃｅとなり、ＳＷ４〜ＳＷ６が操作された場合は、Ｖｉｎ＝Ｖｃｃ（マイコンの電源電圧）−Ｒ１×（（Ｖｃｃ−Ｖｆ−Ｖｃｅ）／（Ｒ１＋Ｒ１２））となり、ＳＷ７〜ＳＷ９が操作された場合は、Ｖｉｎ＝Ｖｃｃ（マイコンの電源電圧）−Ｒ１×（（Ｖｃｃ−Ｖｆ−Ｖｃｅ）／（Ｒ１＋Ｒ１１＋Ｒ１２））となる。そして、マイコン２０は、起動した後に予め設定されたタイマー時間の減算を開始し、その間にキー入力手段２から入力がなされな場合、残り時間がゼロになった時点で、Ｐ７よりＱ４をＯＮさせる信号を出力することで電力開閉手段５をＯＦＦさせる信号を保持手段６に入力するようにした。そして、再び電子レンジが待機状態となるようにした。
【００３２】
（実施例３）
図４は本発明の実施例３の電子レンジの制御回路を示す図である。電子レンジのキー入力手段２としてロータリエンコーダを用いたものが多く見られ、その使用方法として温度の設定、時間設定及び調理メニューの選択と言った多くの入力機能を持たせたものがある。本実施例３において、実施例１と異なる点は、このようなキー入力手段２を用いた構成にした点である。なお、実施例１と同一符号のものは同一構造を有し、説明は省略する。
【００３３】
次に動作、作用を説明すると、ＳＷ１０は、ロータリエンコーダであり、回転させることで内部に構成されているスイッチがＯＦＦ→ＯＮ→ＯＦＦと動作する。また、ロータリエンコーダＳＷ１０は、その回転方向により内部に構成されてる２つのスイッチのうちで何れが先にＯＮするかが変わる。そして、マイコン２０は、マイコン２０の入力ポートＰ１またはＰ２でロータリエンコーダＳＷ１０の接点ａ又はｂのいずれに接続されたスイッチが最初にＯＮしたかを検出することで、回転方向とＯＮ回数を判断している。
【００３４】
そして、食品を加熱調理していない待機状態においては、電力開閉手段５は開成状態であり制御手段３への電力供給は遮断されている。また、ダイオードＤ１〜Ｄ３及びトランジスタＱ４は待機状態において制御手段３への電流の流れ込みを防ぐ働きをしている。次に、キー入力手段２であるロータリエンコーダＳＷ１０またはキーＳＷ１のいずれかが操作されると、操作されたロータリエンコーダＳＷ１０またはキーＳＷ１が接続されたダイオードＤ４〜Ｄ６を介して保持手段６に、電力開閉手段５をＯＮさせる信号が入力される。電力開閉手段５がＯＮすることにより制御手段３への電源供給が開始される。制御手段３への電源の供給が開始されると、マイコン２０が起動し、Ｐ７よりトランジスタＱ４にＯＮさせる信号を出力することで電力開閉手段５のＯＮを継続させる信号を保持手段６に入力する。そして電力開閉手段５の閉成が保持され、制御手段３への電源供給が継続されるようにした。また、Ｄ４〜Ｄ６は、キー操作によりマイコン２０に入力される入力信号が、操作したキーが接続された入力ポートと違う入力ポートに回り込み、マイコン２０が操作されたキーの判定ができなくなることを防ぐ働きをしている。さらに、マイコン２０は、起動した後に予め設定されたタイマー時間の減算を開始し、その間にキー入力手段２から入力がなされな場合、残り時間がゼロになった時点で、Ｐ７よりＱ４をＯＦＦさせる信号を出力することで電力開閉手段５をＯＦＦにさせる信号を保持手段６に入力するようにした。そして、再び電子レンジが待機状態となるようにした。
【００３５】
以下、本実施例の電子レンジと従来の電子レンジとの待機電力量の比較の一例を記す。
【００３６】
最近のスイッチング素子を用いた電源回路には、待機時の電力消費を抑えるため電源の負荷が少ない待機状態においてスイッチング条件をかえ電力消費を抑える機能のあるものが増えてきている。本実施例のように電源回路の負荷となる制御手段を切り離し負荷を０とした場合、その時の電源回路の消費電力が５０ｍＷ以下となる電源が数多くある。こうした電源回路を用いた本実施例の電子レンジの待機電力は、一日あたり５０ｍＷ×２４時間＝１．２Ｗｈとなる。従来の電子レンジの場合、使用者が調理を行おうとする行為をドアの開閉動作で判断しているため、ドアの開閉後は調理の設定及び準備に要する時間は、電力開閉手段をＯＮさせておく必要がある。一般的にこれにあてる時間は１０分程度のものが多い。こうした場合に消費されている電力は、電力開閉手段に用いられるリレー及びマイクロコンピュータ及び表示回路及びこれら周辺回路で消費されており、少なくても３Ｗ程度になる。一日に６回電子レンジを使用する家庭の場合、食品を取り出すためドアを開閉した後に消費される一日の電力は、３Ｗ×１０分／６０分×６回＝３．０Ｗｈとなる。さらに電子レンジを使用する回数が多い家庭ほどこの無駄な電力の消費が多くなる。さらに電子レンジを一時的な食品の保存に使用している場合、食品の格納及び取り出しとその度に不要な電力（３Ｗ×１０分／６０分×２回＝１．０Ｗｈ）の消費がなされる。さらにドアが開かれたまま放置された場合は、待機電力が０とはならなくなる。これらの実使用状態を考えると、本発明に基づく本実施例の電子レンジは、従来の電子レンジよりも待機電力を少なく抑える効果がある。
【００３７】
なお、本実施例では加熱手段として、ヒータと高周波発生源を有する電子レンジにつき説明したが、これに限定されるものではなく、加熱手段として高周波発生源のみを有するものであってもよい。また、加熱手段としてヒータのみを使用した調理器であってもよいのは勿論である。
【００３８】
【発明の効果】
以上説明したように本発明の電子レンジは、使用者が調理を行おうとする行為を、調理条件の設定動作であるキー操作により検出し制御手段であるマイコン及びその周辺回路へ電力が供給され、調理が行われない時は、電力の供給をＯＦＦするようにしているので、調理とは無関係にドアを開閉しても、従来のようなドアの開閉動作のたびに一定の電力が消費されることが無いため無駄な電力の消費を少なくすことができるという効果がある。
【００３９】
また、ドアの開成を制御回路への電力供給のトリガとしていないので、調理のたびにドアの開閉動作を行う必要がなくなるという効果がある。
【００４０】
また、電源スイッチの操作がいらないので、操作手順を限定することがなくなるという効果がある。
【００４１】
また、制御手段による加熱手段の制御が不能となった場合、電力開閉手段をＯＦＦさせることで電子レンジの動作を停止させるようにしているので、より安全な電子レンジにすることができるという効果がある。
【図面の簡単な説明】
【図１】  本発明の実施例１の電子レンジの制御回路のブロック図
【図２】  本発明の実施例１における電子レンジの制御回路図
【図３】  本発明の実施例２における電子レンジの制御回路図
【図４】  本発明の実施例３における電子レンジの制御回路図
【図５】  従来の電子レンジの制御回路図
【符号の説明】
１  加熱手段
２  キー入力手段
３  制御手段
４  電源回路
５  電力開閉手段
６  保持手段
【図１】
0003675423.tif 000002
【図２】
0003675423.tif 000003
【図３】
0003675423.tif 000004
【図４】
0003675423.tif 000005
【図５】
0003675423.tif 000006